(57)【要約】【課題】画像情報に関連する関連情報が付与されない画像情報を挿入する場合でも、関連情報を正確に検出可能な画像情報を生成する画像処理装置、画像処理システム、及び画像処理プログラムを提供する。【解決手段】単位頁毎の頁画像情報の各々に予め頁情報が付されると共に、頁画像情報の各々に頁画像情報間によって形成される画像に関連する情報を画像で表した第１関連情報が付される画像情報、頁画像情報間に挿入されると共に、第１関連情報が付されない例外画像情報、及び例外画像情報を挿入する位置又は位置及び挿入頁数を示す位置情報を取得し、取得された頁画像情報毎に関連情報を生成すると共に、取得された例外画像情報毎に、取得手段によって取得された位置情報を含む第２関連情報を生成し、生成された第１関連情報を対応する頁画像情報に付与すると共に、生成手段で生成された第２関連情報を予め定められた頁画像情報に付与する。【選択図】図６
2010118921.tif 000002
【特許請求の範囲】
【請求項１】
単位頁毎の頁画像情報の各々に予め頁情報が付されると共に、前記頁画像情報の各々に前記頁画像情報間によって形成される画像に関連する情報を画像で表した第１関連情報が付される画像情報、前記頁画像情報間に挿入されると共に、前記第１関連情報が付されない例外画像情報、及び前記例外画像情報を挿入する位置又は該位置及び挿入頁数を示す位置情報を取得する取得手段と、
前記取得手段によって取得された前記頁画像情報毎に前記関連情報を生成すると共に、前記取得手段によって取得された前記例外画像情報毎に、前記取得手段によって取得された前記位置情報を含む第２関連情報を生成する生成手段と、
前記生成手段で生成された前記第１関連情報を対応する前記頁画像情報に付与すると共に、前記生成手段で生成された前記第２関連情報を予め定められた前記頁画像情報に付与する付与手段と、
を含む画像処理装置。
【請求項２】
前記付与手段は、前記第２の関連情報を、最初の頁及び最後の頁の少なくとも一方の頁に位置する頁画像情報、又は前記例外画像情報が挿入された位置の前の頁及び後ろの頁の少なくとも一方の頁に位置する頁画像情報に付与する請求項１記載の画像処理装置。
【請求項３】
前記生成手段は、前記第１関連情報及び前記第２関連情報の生成日時を示す情報を含む前記第１関連情報及び前記第２関連情報を生成する請求項１又は請求項２に記載の画像処理装置。
【請求項４】
請求項１〜請求項３のいずれか１項に記載の画像処理装置と、
前記付与手段により前記第１関連情報及び前記第２関連情報が付与された前記画像情報を示す画像を記録媒体に形成する画像形成装置と、
を含む画像処理システム。
【請求項５】
前記画像形成装置により形成された前記第１関連情報及び前記第２関連情報が示す画像を前記記録媒体から読み取る読み取り手段と、
前記読み取り手段により読み取られた画像から前記第１関連情報及び前記第２関連情報を復号する復号手段と、
前記復号手段により復号された前記第２関連情報に示される例外画像情報に対応する記録媒体以外の記録媒体から前記復号手段により復号された前記第１関連情報を取得する関連情報取得手段と、
を更に含む請求項４に記載の画像処理システム。
【請求項６】
コンピュータを、
単位頁毎の頁画像情報の各々に予め頁情報が付されると共に、前記頁画像情報の各々に前記頁画像情報間によって形成される画像に関連する情報を画像で表した第１関連情報が付される画像情報、前記頁画像情報間に挿入されると共に、前記第１関連情報が付されない例外画像情報、及び前記例外画像情報を挿入する位置又は該位置及び挿入頁数を示す位置情報を取得する取得手段と、
前記取得手段によって取得された前記頁画像情報毎に前記関連情報を生成すると共に、前記取得手段によって取得された前記例外画像情報毎に、前記取得手段によって取得された前記位置情報を含む第２関連情報を生成する生成手段と、
前記生成手段で生成された前記第１関連情報を対応する前記頁画像情報に付与すると共に、前記生成手段で生成された前記第２関連情報を予め定められた前記頁画像情報に付与する付与手段と、
して機能させる画像処理プログラム。
【発明の詳細な説明】
【技術分野】
【０００１】
本発明は、画像処理装置、画像処理システム、及び画像処理プログラムに関する。
【背景技術】
【０００２】
近年の画像形成装置では、個人情報が入った処理を連続して出力する場合、頁抜けや乱丁、重複によって、個人情報が他の個人に流れることを防止するために、各頁に連番でバーコードをつけることが一般的である。
【０００３】
最近は、１個人あたり３頁を越えたり、個人毎に頁数が可変する場合がある。この時バーコードによる管理方法としては、個人単位でジョブを分け通し番号を書く場合、個人名と個人毎通し番号をつける場合、全個人を通し番号で管理する場合、などがある。
【０００４】
一方、今日の画像形成装置では、画像を編集するパソコンに搭載された通常のプリンタドライバの指定機能（両面、帳合など）に加えて、合紙の挿入、印刷頁指定、天地設定、面つけ設定、例外頁設定、イメージシフト設定などが設定された印刷処理が可能である。これらの設定は、利用者が設定可能である。
【０００５】
これは、印刷しない頁やシートをプリンタ側で加えたり、特定の用紙だけ印刷用紙を変えたりすることで、印刷物の見栄えをよくすると共に、パソコンから無駄なブランク頁を送信しないようにするための設定である。
【０００６】
このような技術背景において、特許文献１には、両面印刷時にバーコードを特定の場所に印字して、位置によって面の抜けを識別する技術が開示されている。
【０００７】
また、特許文献２には、用紙種類に応じて、プリンタドライバで検査対象や検査内容を定義、変更する技術が開示されている。
【０００８】
更に、特許文献３には、コントローラが作成したイメージバッファ情報とスキャナで読み取った、印刷済画像を照合するか、コントローラでイメージバッファを作成する際にバーコード情報を付加して、イメージ情報を記憶しておき、一旦印刷した後、改めてスキャナで読み取りなおして、バーコードに書かれた該当頁番号に相当するイメージ情報を呼び出して照合する技術が開示されている。
【特許文献１】特開平８−３０５０９４号公報
【特許文献２】特開２００７−１４８０２７号公報
【特許文献３】特開２００７−８９０９５号公報
【発明の開示】
【発明が解決しようとする課題】
【０００９】
本発明は、画像情報に関連する関連情報が付与されない画像情報を挿入する場合でも、関連情報を正確に検出可能な画像情報を生成する画像処理装置、画像処理システム、及び画像処理プログラムを提供することを目的とする。
【課題を解決するための手段】
【００１０】
上記目的を達成するために、請求項１の発明は、単位頁毎の頁画像情報の各々に予め頁情報が付されると共に、前記頁画像情報の各々に前記頁画像情報間によって形成される画像に関連する情報を画像で表した第１関連情報が付される画像情報、前記頁画像情報間に挿入されると共に、前記第１関連情報が付されない例外画像情報、及び前記例外画像情報を挿入する位置又は該位置及び挿入頁数を示す位置情報を取得する取得手段と、前記取得手段によって取得された前記頁画像情報毎に前記関連情報を生成すると共に、前記取得手段によって取得された前記例外画像情報毎に、前記取得手段によって取得された前記位置情報を含む第２関連情報を生成する生成手段と、前記生成手段で生成された前記第１関連情報を対応する前記頁画像情報に付与すると共に、前記生成手段で生成された前記第２関連情報を予め定められた前記頁画像情報に付与する付与手段と、を含む。
【００１１】
また、請求項２の発明は、請求項１の発明において、前記付与手段は、前記第２の関連情報を、最初の頁及び最後の頁の少なくとも一方の頁に位置する頁画像情報、又は前記例外画像情報が挿入された位置の前の頁及び後ろの頁の少なくとも一方の頁に位置するものである。
【００１２】
また、請求項３の発明は、請求項１又は請求項２の発明において、前記生成手段は、前記第１関連情報及び前記第２関連情報の生成日時を示す情報を含む前記第１関連情報及び前記第２関連情報を生成するものである。
【００１３】
上記目的を達成するために、請求項４の発明は、請求項１〜請求項３のいずれか１項に記載の画像処理装置と、前記付与手段により前記第１関連情報及び前記第２関連情報が付与された前記画像情報を示す画像を記録媒体に形成する画像形成装置と、を含むものである。
【００１４】
また、請求項５の発明は、請求項４の発明において、前記画像形成装置により形成された前記第１関連情報及び前記第２関連情報が示す画像を前記記録媒体から読み取る読み取り手段と、前記読み取り手段により読み取られた画像から前記第１関連情報及び前記第２関連情報を復号する復号手段と、前記復号手段により復号された前記第２関連情報に示される例外画像情報に対応する記録媒体以外の記録媒体から前記復号手段により復号された前記第１関連情報を取得する関連情報取得手段と、を更に含むものである。
【００１５】
上記目的を達成するために、請求項６の発明は、コンピュータを、単位頁毎の頁画像情報の各々に予め頁情報が付されると共に、前記頁画像情報の各々に前記頁画像情報間によって形成される画像に関連する情報を画像で表した第１関連情報が付される画像情報、前記頁画像情報間に挿入されると共に、前記第１関連情報が付されない例外画像情報、及び前記例外画像情報を挿入する位置又は該位置及び挿入頁数を示す位置情報を取得する取得手段と、前記取得手段によって取得された前記頁画像情報毎に前記関連情報を生成すると共に、前記取得手段によって取得された前記例外画像情報毎に、前記取得手段によって取得された前記位置情報を含む第２関連情報を生成する生成手段と、前記生成手段で生成された前記第１関連情報を対応する前記頁画像情報に付与すると共に、前記生成手段で生成された前記第２関連情報を予め定められた前記頁画像情報に付与する付与手段と、して機能させる画像処理プログラムである。
【発明の効果】
【００１６】
請求項１、請求項４及び請求項６記載の発明によれば、画像情報に関連する関連情報が付与されない画像情報を挿入する場合でも、関連情報を正確に検出可能な画像情報を生成することができる。
【００１７】
また、請求項２の発明によれば、関連情報を検査する場合に、頁の順、頁の逆順に従って検査することが可能となる。
【００１８】
また、請求項３の発明によれば、生成日時により、関連情報をより正確に検出することが可能となる。
【００１９】
また、請求項５の発明によれば、例外画像情報以外の画像情報の関連情報だけを正確に検出することが可能となる。
【発明を実施するための最良の形態】
【００２０】
以下、図面を参照して、本発明の実施の形態について詳細に説明する。
【００２１】
まず、図１を用いて、本実施の形態に係る画像処理システム１０の全体構成について説明する。同図には、画像処理装置１２、ＰＣ（Personal Computer）１４、画像形成装置１６、及びスタッカ１８が示されている。このうち、ＰＣ１４は、画像情報の編集等を行うもので、画像情報編集アプリケーション、関連情報であるコードを付与するコード付与アプリケーション、コードの検査を行なうコード検査アプリケーション、及び画像処理装置１２とやり取りするためのドライバ等が搭載されている。
【００２２】
画像処理装置１２は、単位頁毎の頁画像情報の各々に予め頁情報が付されると共に、頁画像情報の各々に頁画像情報間によって形成される画像に関連する情報を画像で表した第１関連情報が付される画像情報、頁画像情報間に挿入されると共に、第１関連情報が付されない例外画像情報、及び例外画像情報を挿入する位置又は該位置及び挿入頁数を示す位置情報を取得し、取得された頁画像情報毎に関連情報を生成すると共に、取得された前記例外画像情報毎に、取得された位置情報を含む第２関連情報を生成し、生成された第１関連情報を対応する前記頁画像情報に付与すると共に、生成された前記第２関連情報を予め定められた頁画像情報に付与する。
【００２３】
本実施の形態において、上記第１関連情報及び第２関連情報が示す画像は２次元バードコードである。第１関連情報及び第２関連情報の詳細については後述する。また、第１関連情報及び第２関連情報を単に関連情報とまとめて表現することがある。
【００２４】
画像形成装置１６は、画像処理装置１２から得られた画像情報に基づいて紙等の記録媒体に画像を形成するもので、本実施の形態では、特にコードが付与された画像情報を示す画像を記録媒体に形成するものである。
【００２５】
スタッカ１８は、画像形成装置１６により画像が形成された記録媒体を格納するものであり、また本実施の形態では特に画像形成装置１６により形成された２次元コードを記録媒体から読み取り、読み取られた２次元コードを復号し、復号された関連情報に示される例外画像情報に対応する記録媒体以外の記録媒体から、復号された関連情報を取得する。
【００２６】
従って、スタッカ１８には、２次元コードを読み取るための読み取り部２０が設けられている。本実施の形態の場合、記録媒体の表面及び裏面に形成された２次元コードを読み取ることが可能である。
【００２７】
なお、上述した構成のうち、画像処理装置１２、及び画像形成装置１６からなる構成が画像処理システムの最小構成となる。
【００２８】
次に、図２を用いて、画像処理装置１２のハードウェア構成について説明する。画像処理装置１２は、ＣＰＵ２２と、ＨＤＤ（Hard Disk Drive）２４と、ＲＡＭ（Random Access Memory）２６と、通信Ｉ／Ｆ部２８と、ＲＯＭ（Read Only Memory）３０と、表示部３２と、操作入力部３４と、バス３６とを含む。
【００２９】
ＣＰＵ２２は、画像処理装置１２の全体の動作を司るものであり、後述する画像処理装置１２の処理を示すフローチャートは、ＣＰＵ２２により実行される。ＨＤＤ２４は、各データベース、各種プログラム、ＯＳ（Operating System）などが記録される不揮発性の記憶装置である。ＲＡＭ２６は、ＯＳやプログラムやデータが展開される揮発性の記憶装置である。通信Ｉ／Ｆ部２８は、ネットワークに接続するためのものであり、ＮＩＣ（Network Interface Card）やそのドライバで構成される。ＲＯＭ３０は、画像処理装置１２の起動時に動作するブートプログラムなどが記憶されている不揮発性の記憶装置である。表示部３２は、画像処理装置１２に関する情報を利用者に表示するものである。操作入力部３４は、利用者が画像処理装置１２の操作や情報を入力する際に用いられるものである。バス３６は、情報のやりとりが行われる際に使用される。
【００３０】
次に、図３を用いて画像形成装置１６及びスタッカ１８（ここでの説明では、画像形成装置１６及びスタッカ１８を併せて画像形成部と記す）のハードウェア構成について説明する。画像形成部は、ＣＰＵ４０と、フラッシュメモリ４２と、ＲＡＭ４４と、ＮＶＭ（Non-Volatile Memory）４６と、ＵＩ（User Interface）４８と、ＨＤＤ５０と、プリンタエンジン５２と、通信Ｉ／Ｆ（インタフェース）５４と、上述した読み取り部２０と、バス５６とを含む。
【００３１】
ＣＰＵ４０は、画像形成部の全体の動作を司るものであり、後述するフローチャートに示される処理は、ＣＰＵ４０により実行される。フラッシュメモリ４２は、ＲＡＭ４４に展開されるプログラム及び起動時に動作するブートプログラム等が記憶されている。
【００３２】
ＲＡＭ４４は、ＯＳやプログラムや画像情報等が展開される記憶装置である。ＮＶＭ４６には、画像形成部に係る設定値等が記憶される。
【００３３】
通信Ｉ／Ｆ５４は、ネットワークに接続するためのＮＩＣ（Network Interface Card）やそのドライバ、或いはＵＳＢデバイス等を含んで構成される。
【００３４】
プリンタエンジン５２は、紙などの記録媒体に画像を形成するエンジンである。ＨＤＤ５０は、画像情報等が記録される記憶装置である。ＵＩ４８は、利用者が画像形成部の操作や情報を入力する際に用いられるものである。バス５６は、情報のやりとりが行われる際に使用される。
【００３５】
なお、以上説明した構成に、例えばスキャナエンジンや、電話回線と接続するためのインタフェース等、画像処理に関するものを加えるようにしても良い。
【００３６】
次に、２次元コードが付与される具体例について、図４を用いて説明する。なお、以下の説明では、例外画像情報として合紙を示す情報を例にしており、従ってこの合紙には２次元コードは付与されない。なお、例外画像情報として、両面に画像を形成する場合に例えば５画像分と４画像分をそれぞれ章として形成する場合、３枚目の裏面に画像は形成されないが、この裏面を示す情報も挙げられる。いずれの場合も、例外画像情報は挿入されるものであり、この例外画像情報に関連情報は付与されないものとなる。
【００３７】
図４には、３つの具体例が示されている。まず同図（Ａ）に示される具体例は、２次元コードが、最初の頁番号に対応する画像情報に付与される例を示している。具体的に、コード１は、全頁数が１０頁であり、２、５、６頁が合紙であることを示している。
【００３８】
また、同図（Ｂ）に示される具体例は、２次元コードが、合紙に対応する頁番号の前の頁番号に対応する画像情報に付与される例を示している。具体的に、コード１は、全頁数が１０頁であり、この頁が１頁目であり、次頁１枚が合紙であることを示している。コード２は、この頁が４頁目であり、次頁２枚が合紙であることを示している。ここで示されるように、例外画像情報が複数連続して存在する場合には、関連情報が付与されていない例外画像情報が複数連続することを示す情報を含む関連情報が付与される。
【００３９】
更に、同図（Ｃ）に示される具体例は、２次元コードが、合紙に対応する頁番号の後の頁番号に対応する画像情報に付与される例を示している。また、合紙に対応する頁番号の前の頁番号に対応する画像情報に付与される例も併せて示されている。
【００４０】
具体的に、コード１は、全頁数が１０頁であり、この頁が１頁目であり、次頁１枚が合紙であることを示している。また、コード２は、この頁が３頁目であり、前の頁１枚が合紙であることを示している。更にコード３は、この頁が４頁目であり、次頁２枚が合紙であることを示している。また、コード４は、この頁が６頁目であり、前の頁２枚が合紙であることを示している。
【００４１】
次に、図５を用いて、関連情報の具体例について説明する。図５には、２つの２次元コードＡ、Ｂが示されている。このうち、２次元コードＡは、取得した際に既に画像情報に付与されている２次元コードである。そして、この２次元コードＡが示す関連情報は、「２１００００１」、「Ｘ＝１０、Ｙ＝５０」、「Ｘ２＝１００、Ｙ２＝１５０」となっている。
【００４２】
「２１００００１」は、画像情報の頁を示す。「Ｘ＝１０、Ｙ＝５０」は、２次元コードの予め定められた頂点の座標を示す。「Ｘ２＝１００、Ｙ２＝１５０」は、次の頁の２次元コードの予め定められた頂点の座標を示す。
【００４３】
この２次元コードＡが示す関連情報に、新たに合紙の位置を示す位置情報を少なくとも加えた関連情報を生成する。更に、このジョブのジョブ名、付加情報（ジョブを一意的に示すＩＤ、時刻、開始頁、出力スタッカ番号指定等）を追加して付与するようにしても良い。
【００４４】
こうして生成された２次元コードが、同図に示される２次元コードＢである。そして、この２次元コードＢが示す関連情報は、上述した「２１００００１」、「Ｘ＝１０、Ｙ＝５０」、「Ｘ２＝１００、Ｙ２＝１５０」に加え、「SAMPLE.PS」、「Sheet 1A」、「20080319 21:35:34」、「Blank 2 page starts from next page」となっている。
【００４５】
「SAMPLE.PS」は、この画像情報のファイル名を示し、「Sheet 1A」は、表面を示し、「20080319 21:35:34」は、２次元コードの生成日時を示す情報である。そして、「Blank 2 page starts from next page」が、次頁２枚が合紙であることを示す情報である。
【００４６】
２次元コードＢが示す情報で、例外画像情報に関する情報である「Blank 2 page starts from next page」を含まない関連情報が第１関連情報であり、含む関連情報が第２関連情報である。
【００４７】
次に、図６のフローチャートを用いて、画像処理装置１２における画像処理の流れについて説明する。以下のフローチャートに示される処理は、ＣＰＵ２２により行なわれる処理である。
【００４８】
まず、ステップ１０１で、ループカウンタＮに１を代入する。次のステップ１０２で、バーコードフォント指定があるか否か判定し、否定判定した場合には、ステップ１０５の処理に進む。一方、ステップ１０２で肯定判定した場合には、ステップ１０３で、指定範囲内にバーコードフォントがあるか否か更に判定する。ここでの指定範囲とは、バーコードフォントが存在する範囲が予め定められており、その範囲を示している。
【００４９】
ステップ１０３で肯定判定した場合には、ステップ１０４で、バーコードフォントから関連情報を取得し、ステップ１０７の処理に進む。ここで取得する関連情報は、図５で説明した既に画像情報に付与されている関連情報である。
【００５０】
一方、ステップ１０３で否定判定した場合には、ステップ１０５で、指定範囲内に２次元コードがあるか否か判定する。ここでの指定範囲とは、２次元コードが存在する範囲が予め定められており、その範囲を示している。
【００５１】
ステップ１０５で否定判定した場合には、ステップ１０９に処理が進み、ステップ１０５で肯定判定した場合には、ステップ１０６で２次元コードを復号して関連情報を取得する。ここで取得する関連情報は、図５で説明した既に画像情報に付与されている関連情報である。
【００５２】
次のステップ１０７で、後述する２次元コード生成処理を行ない、ステップ１０８で生成した２次元コードを付与し、ステップ１０９でループカウンタＮにより最終頁か否か判定する。
【００５３】
ステップ１０９で否定判定した場合には、ステップ１１０でＮを１だけ増分してステップ１０２に処理が戻り、ステップ１０９で肯定判定した場合には、処理を終了する。
【００５４】
次に、上記ステップ１０７の２次元コード生成処理の詳細な流れを図７のフローチャートを用いて説明する。まず、ステップ２０１で、例外画像情報の位置情報、用紙サイズ等の情報を取得する。これらの情報は、画像処理装置１２の操作入力部３４で入力されたものを取得するか、画像情報と共に取得することで得られる。次のステップ２０２で、画像情報が先頭頁か否か判定する。このステップ２０２で否定判定した場合には、ステップ２０４へ処理が進み、肯定判定した場合には、ステップ２０３で、開始ＩＤ（例えば頁番号）、ジョブ名を関連情報に付与する。
【００５５】
次のステップ２０４で、次の頁は例外画像情報か否か判定する。このステップ２０４で否定判定した場合には、ステップ２０６に処理が進み、肯定判定した場合には、ステップ２０５で例外開始ＩＤ（頁番号）、及び頁数が関連情報に付与される。
【００５６】
更に、次のステップ２０６で、現在の頁が片面か否か判定する。この判定は、両面に画像を形成するか否かの判定である。このステップ２０６で否定判定した場合には、ステップ２０８に処理が進み、肯定判定した場合には、ステップ２０７で片面であることを示す片面ＩＤを関連情報に付与する。
【００５７】
そして、ステップ２０８で、現在の日時を関連情報に付与する。次のステップ２０９で、画像情報が終了頁に対応するか否か判定し、否定判定した場合には、ステップ２１１に処理が進み、肯定判定した場合には、終了ＩＤ（頁番号）、ジョブ名を関連情報に付与する。
【００５８】
次のステップ２１１で、関連情報にチェックデジットを付与し、ステップ２１２で、関連画像を示すラスタ画像を生成し、２１３でラスタ画像と頁番号をログとして記録して、処理を終了する。
【００５９】
次に、図８のフローチャートを用いて、読み取り処理の流れについて説明する。まず、ステップ３０１で、読み取り部２０は２次元コードを読み取り、ステップ３０２で、読み取った２次元コードから関連情報を復号する。
【００６０】
次のステップ３０３で、関連情報に位置情報が含まれるか否か判定し、肯定判定した場合には、ステップ３０４で位置情報を保持する。そして、ステップ３０６で関連情報を取得して処理を終了する。
【００６１】
一方、ステップ３０３で否定判定した場合には、ステップ３０５で位置情報に対応する頁か否か判定し、否定判定した場合にはステップ３０６に進み、肯定判定した場合には関連情報を取得せずにそのまま処理を終了する。
【００６２】
なお、以上説明した各フローチャートの処理の流れは一例であり、本発明の主旨を逸脱しない範囲内で処理順序を入れ替えたり、新たなステップを追加したり、不要なステップを削除したりすることができることは言うまでもない。
【図面の簡単な説明】
【００６３】
【図１】実施の形態に係る画像処理システムの全体構成を示す図である。
【図２】画像処理装置のハードウェア構成を示す図である。
【図３】画像形成装置及びスタッカのハードウェア構成を示す図である。
【図４】２次元コードが付与される具体例を示す図である。
【図５】関連情報の具体例を示す図である。
【図６】画像処理の流れを示すフローチャートである。
【図７】２次元コード生成処理の流れを示すフローチャートである。
【図８】読み取り処理の流れを示すフローチャートである。
【符号の説明】
【００６４】
１０  画像処理システム
１２  画像処理装置
１６  画像形成装置
１８  スタッカ
２０  読み取り部
２２、４０  ＣＰＵ
２４、５０  ＨＤＤ
２６、４４  ＲＡＭ
２８、５４  通信Ｉ／Ｆ部
３４  操作入力部
【図１】
2010118921.tif 000003
【図２】
2010118921.tif 000004
【図３】
2010118921.tif 000005
【図４】
2010118921.tif 000006
【図５】
2010118921.tif 000007
【図６】
2010118921.tif 000008
【図７】
2010118921.tif 000009
【図８】
2010118921.tif 000010